(57)【特許請求の範囲】
【請求項１】
中空の柱部材と、流入口と立ち上がり管取り付け口と排水口を備えた弁本体と該弁本体内に外部から操作可能に収受された切り換え弁体を備えた切り換え弁と、前記立ち上がり管取り付け口に取り付けられた立ち上がり管とを備え、前記切り換え弁体を操作することにより、上流側の配管と前記立ち上がり管との連通を切り換えて、通水状態と、止水、水抜き状態とを切り換える不凍水栓柱において、前記切り換え弁は前記柱部材の内部に配置され、該不凍水栓柱はさらに、前記柱部材内において前記切り換え弁の下側の位置で前記柱部材に固定され、上下に貫通する貫通孔を備えたベースと、前記柱部材の下端部に設けられ、前記配管に接続される接続管と、前記ベースの前記貫通孔を閉鎖する閉鎖位置と開放する開放位置との間で移動可能に配置された止水弁体と、前記止水弁体を前記閉鎖位置に付勢する付勢手段と、前記切り換え弁が前記柱部材内で所定の位置に位置するときには前記付勢手段に抗して前記止水弁体を前記開放位置に留め、前記切り換え弁が所定の距離以上前記柱部材内で移動した時に、前記止水弁体が前記閉鎖位置に移動することを許容する止水弁体規制部材とを備えたことを特徴とする、不凍水栓柱。
【請求項２】
請求項１に記載の不凍水栓柱において、前記止水弁体は、前記接続管と前記ベースとの間で、前記ベースの前記貫通孔に対向した位置で前記貫通孔の軸方向に移動可能に配置され、前記止水弁体規制部材は前記切り換え弁の前記弁本体から下方へ延び、その下端部が前記ベースの前記貫通孔を通って前記止水弁体に当接し、前記止水弁体を前記開放位置に止める構成となっていることを特徴とする、不凍水栓柱。
【請求項３】
請求項２に記載の不凍水栓柱において、前記止水弁体規制部材は、前記弁本体の前記流入口と前記接続管との間を連通する流路を備え、該止水弁体規制部材の外周と前記ベースの前記貫通孔の内周との間は液密にシールされていることを特徴とする、不凍水栓柱。
【請求項４】
請求項１乃至３のいずれか１に記載の不凍水栓柱において、前記不凍水栓柱は、前記柱部材の上端に取外し可能に固定配置される上部キャップを備えることを特徴とする、不凍水栓柱。
【請求項５】
請求項４記載の不凍水栓柱において、前記上部キャップは、前記柱部材内を上下に伸び、下端において前記ベースに連結固定されたシャフトを介して前記ベースに連結されることにより、前記柱部材の上端に固定されることを特徴とする、不凍水栓柱。
【請求項６】
請求項４又は５に記載の不凍水栓柱において、前記切り換え弁は前記上部キャップにより支持されて垂下していることを特徴とする、不凍水栓柱。
【請求項７】
請求項６に記載の不凍水栓柱において、前記柱部材は、上下の二つの柱状部材からなり、前記上側の柱状部材は前記下側の柱状部材から取り外し可能であることを特徴とする、不凍水栓柱。
【請求項８】
請求項７に記載の不凍水栓柱において、前記上部キャップは、前記柱部材の中心軸線回りに回転した複数ヵ所において前記ベースに対して連結可能であり、前記上側の柱状部材は、前記下側の柱状部材に対して、前記上部キャップと同じ複数カ所のうちの任意の一か所で固定することが可能となっていることを特徴とする、不凍水栓柱。
【請求項９】
請求項８に記載の不凍水栓柱において、前記柱部材は横断面略正方形であり、前記シャフトは二本設けられ、それぞれ前記柱部材の前記横断面の中心を通る一つの対角線上で、中心から同じ距離に位置するように配置されていることを特徴とする、不凍水栓柱。
【発明の詳細な説明】
【０００１】
【産業上の利用分野】
本発明は、水道に使用する不凍水栓柱に関し、さらに詳細に言えば、水栓柱を設置した状態のままで、通水状態と止水、水抜き状態とを切り換える弁機構を取り外し、取り付けが可能な不凍水栓柱に関する。
【０００２】
【従来の技術】
水道に使用する給水栓のなかに、例えば庭等に設置する水栓柱がある。そしてその水栓柱には、寒冷地で使用するものとして、水抜き機構を備えた不凍水栓柱がある。
【０００３】
従来の不凍水栓柱は、水栓柱の外観を構成する例えば断面が正方形の角パイプ内に立ち上がり管が挿通され、その立ち上がり管の下端に、通水状態と止水、水抜き状態の切り換えを行う弁機構を角パイプの下端から大略露出した状態で取り付け、この弁機構の流入口に地中に設置された配管を結合している。
【０００４】
以上のような構成からなる不凍水栓柱では、この弁機構部に故障が生じ、補修或いは交換を行う場合、水栓柱を設置したままで弁機構部だけを取り外すことはできず、水栓柱そのものを一旦掘り起こしから弁機構部を取り外さなければならない。地域によっては凍結深度がきわめて深く、地中深くに埋設した水栓柱の掘り起こし作業は大変な労力と時間を要する。
【０００５】
【発明が解決しようとする課題】
本願発明は、上記従来の水抜き不凍水栓柱の問題点に鑑みてなされたものであり、水栓柱を設置した状態のままで弁機構部を取り外し、またその取り付けが可能な不凍水栓柱を提供することをその課題とする。
【０００６】
【課題を解決するための手段】
上記課題を解決するために、本願発明においては、中空の柱部材内部に通水状態と、止水、水抜き状態とを切り換える切り換え弁を配置する。そして、柱部材内において前記切り換え弁の下側の位置で前記柱部材に固定され、上下に貫通する貫通孔を備えたベースと、前記柱部材の下端部に設けられ、前記配管に接続される接続管とを設ける。さらに、前記ベースの前記貫通孔を閉鎖する閉鎖位置と開放する開放位置との間で移動可能に配置された止水弁体と、前記止水弁体を前記閉鎖位置に付勢する付勢手段と、前記切り換え弁が前記柱部材内で所定の位置にあるときには前記付勢手段に抗して前記止水弁体を前記開放位置に留め、前記切り換え弁機構が所定の距離以上前記柱部材内で移動した時に、前記止水弁体が前記閉鎖位置に移動することを許容する止水弁体規制部材とを設ける。
【０００７】
ある実施の形態においては、前記止水弁体は、前記接続管と前記ベースとの間で、前記ベースの前記貫通孔に対向した位置で前記貫通孔の軸方向に移動可能に配置され、前記止水弁体規制部材は前記切り換え弁の弁本体から下方へ延び、その下端部が前記ベースの前記貫通孔を通って前記止水弁体に当接し、前記止水弁体を前記開放位置に止める構成となっており、さらに、この止水弁体規制部材は、前記弁本体の流入口と前記接続管との間を連通する流路を備え、該止水弁体規制部材の外周と前記ベースの前記貫通孔の内周との間は液密にシールされている。
【０００８】
他の実施の形態においては、該不凍水栓柱は、前記柱部材の上端に配置された上部キャップを備え、前記不凍水栓柱はさらに、下端において前記ベースに連結固定されているシャフトを備え、前記上部キャップは該シャフトを介して前記ベースに連結されることにより柱部材上端に固定される。そして、前記切り換え弁は前記上部キャップにより支持されて垂下している。
【０００９】
さらに他の実施の形態においては、前記柱部材は、上下の二つの柱状部材からなり、上側の柱状部材は下側の柱状部材から取り外し可能となっている。
【００１０】
さらに他の実施の形態では、上側の柱状部材は、下側の柱状部材に対し、その中心回りに回転した複数の位置のうちの任意の一つの位置で取り付けることができるようにになっている。
【００１１】
【発明の実施の形態】
以下、図面に基づき本願発明の具体的実施の形態を説明するが、本願発明の範囲は以下に説明される実施の形態に限定されるものではない。
【００１２】
図１、図２及び図３は、本願発明の一実施の形態に係る不凍水栓柱１の上部、中間部及び下部をそれぞれ示す縦断面図である。なお、図は通水状態を示している。符号３は、水栓柱の柱本体を構成する中空の柱状部材であり、本実施の形態では、金属製の断面４角形の金属製角パイプである。また本実施の形態での角パイプ３は、後述する目的で、上下に分割されて、上側パイプ５と下側パイプ７とで構成されている。上側パイプ５と下側パイプ７との間にはセパレータ９が配置されている（図２）。セパレータ９は、中央の円筒部９ａと、該円筒部９ａからその高さ方向の真ん中で外方へ広がるフランジ部９ｂと、該フランジ部９ｂの外側に配置された外周部９ｃとを備え、その外周部９ｃは略４角形をしており、上下の面にそれぞれ上側パイプ５の下端部と下側パイプ７の上端部を収受する溝９ｄ、９ｅが形成されている。
【００１３】
図３において、符号１１は、この不凍水栓柱１の通水状態と止水、水抜き状態とを切り換える切り換え弁であり、この切り換えは、弁本体１３と、該弁本体１３にネジ結合されて弁本体の一部を構成するボール押さえ１５とにより内部に形成される弁室１４内に、ボールシート１７、１９に支持されて収受された、内部流路２１ａを備えたボール２１を外部から操作して回転させることにより行われる。この技術は周知であるので、これ以上の詳細な説明は省略する。
【００１４】
本実施の形態での弁本体１３は、弁室１４を内部に画成する弁本体上部２３から下方へ延びる弁本体下部２５を備えている。そしてこの弁本体下部２５の下側部分は、その中心が角パイプ３の中心に略一致した略円筒状の筒部２７となっており、開口した下端部２７ａの近くに、円周方向で隔てて複数の側孔２７ｂがその円筒壁に形成されている。内部の孔２８は、上部で図示の如く鍵の手に曲がり、その上側端部２８ａは、弁本体上部２３のボール押さえ１５が嵌入する孔２３ａに開口し、ボール押さえ１５の径方向に形成された通路１５ａと軸方向に形成された通路１５ｂ、さらにボールシート１９に形成された孔１９ａを介してボールの内部流路２１ａに通じている。
【００１５】
符号３０は、角パイプ３内に挿入され、ネジ２９により角パイプ３に対して固定されたベースであり、中心部に軸方向に延びる貫通孔３１が形成され、その上側部分の小径部３１ａには弁本体下部２５の筒部２７が液密状態で摺動自在に嵌合している。また、下側の大径部３１ｂは弁本体下部２５の筒部２７に形成された側孔２７ｂを介して内部の孔２８に通じている。
【００１６】
符号３３は、その下側端部３３ａにおいて図示しない配管に接続される中空の接続管であり、図示の通り下側から順次径が大きくなるように複数段に形成されている。そしてその上端側においてベース３０内に挿入され、ベース３０にネジ結合され、一方、その下端側は、角パイプ３の下端部に固定された中空の下部キャップ３７内を通って外に延びている。下部キャップ３７の内周と接続管３３の外周との間には後述する排水用の隙間３９が画成されている。さらにこの接続管３３は軸方向の途中のある範囲で二重の筒構造になっており、内側筒部３５が、円周方向に隔てて複数形成されたリブ３４により外側筒部３６と一体に形成されている。なお、図示の例の接続管３３に代えて、接続管をＬ型に構成し、その一端においてベース３０の下端部に回転可能に取り付ける等して、配管に結合される下端部側を任意の方向に位置させることを可能にすることができる。
【００１７】
符号４１は、後述するように切り換え弁１１が抜き取られたときに止水するための止水弁体である。止水弁体４１は基台４３に弾性を有するシール性に優れたシール体４５を載せ、軸４７の上側ネジ部を基台４３にネジ結合して一体化して構成されている。軸４７の下部は基台４３の下方に延びて、接続管３３の内側筒部３５に摺動自在に嵌まり、止水弁体４１の上下方向の運動をガイドしている。符号４９は基台４３とリブ３４との間に配置されたスプリングであり、止水弁体４１を常時図中上方へ付勢している。図の状態ではシール体４５の上面に弁本体下部２５の筒部２７の下端部２７ａが当接し、止水弁体４１の上方への移動を阻止し、図示の開放位置に止めているが、切り換え弁１１が上方へ移動されると、上方の閉鎖位置へと移動し、ベース３０の小径部３１ａの下面側に形成された弁座３０ａに着座して小径部３１ａを閉じ、ここで上流側から下流側への水の流れを止めるようになっている。
【００１８】
弁本体１３の上部は従来と同様に弁室１４に連通する開口部が形成されて立ち上がり管取り付け部１３ａとなっており、ここに略円筒状のスピンドル押さえ５１がネジ結合されている。スピンドル押さえ５１は、後述する立ち上がり管７５にコネクタ５７、ナット７１をもって連結され、立ち上がり管の一部を構成することとなる。
【００１９】
符号５３は、ボール２１に形成された横断面角形の縦穴に下端部が挿入された、やはり横断面が角形の中空の角パイプにより構成された下部スピンドルであり、ボール２１と一体に回転するようになっている。下部スピンドル５３の下端開口は内部流路２１ａに通じている。下部スピンドル５３の周壁には上下に隔てて連通孔５３ａ、５３ｂが形成されて、ボール２１の内部流路２１ａがスピンドル押さえ５１の内部に連通している。符号５５は下部スピンドル５３に一体回転するように固定されたガイドワッシャであり、円周方向のある位置で径方向で外方へ突出した突起部を備え、その突起部が弁本体１３の立ち上がり管取り付け部１３ａの上端面に円周方向所定の長さで形成された切り欠き部内に位置し、下部スピンドル５３の回転を所定の範囲に制限する。この構成もすでに従来から用いられている。スピンドル押さえ５１の下端ネジ部の上は内径が小さくなり、図示のとおりガイドワッシャ５５を部分的に覆う形となり、下部スピンドル５３の抜け止めをするようになっている。
【００２０】
符号５７（図２）はコネクタであり、その下部は下部スピンドル５３に対応した角形形状をしており、一体回転するように下部スピンドル５３に挿入され、上部はスプリングピン５９を用いてスピンドルの一部を構成するロッド６１に結合されている。ロッド６１は上方へ伸びおり、その上端部は（図１）、角パイプ３の上端を閉じる上部キャップ６３の上に位置するハンドル６５の中心部に、ボルト６７を用いて下方へ吊り下げて取り付けられた上部スピンドル６９に結合されている。上部スピンドル６９の上端は断面略四角形をなすようにカットされ、ハンドル６５にボルト取り付け部の下側に形成された断面角形の取り付け部６５ａに嵌まっている。従って、ハンドル６５の回転運動がボール２１に伝達される。
【００２１】
一方スピンドル押さえ５１は、中空のジョイント７３の下端部に螺合するジョイントナット７１を用いてジョイント７３の下端部に結合され（図２）、そのジョイント７３は、その上端部において立ち上がり管７５の下端部に螺合して結合されている。即ち、立ち上がり管７５は、ジョイント７３、ジョイントナット７１、スピンドル押さえ５１を介して、切り換え弁１１の弁本体１３の立ち上がり管取り付け部１３ａに取り付けられている。ジョイント７３は、円周方向に隔てて複数形成されたリブ７３ａにより外側円筒部７３ｂに一体化された内側円筒部７３ｃを備え、この内側円筒部７３ｃにロッド６１がその下端部近傍において挿通され、ガイドされている。
【００２２】
立ち上がり管７５はロッド６１の周囲を囲んで上方へと伸び、ボンネットエルボ７７の下部に形成された立ち上がり管取り付け部７７ａに螺合し、結合されている（図１）。ボンネットエルボ７７の上部の中空部７７ｂには雌ねじが刻設され、中空のキャップ押さえ７９が螺合して固定される。すなわち、上部キャップ６３の内側円筒部６３ａの下端から径方向内方へ延びて形成されたフランジ部６３ｂにより、その上部に形成された外方フランジ７９ａが受け止められてキャップ押さえ７９が下方へ伸び、ボンネットエルボ７７の上部中空部７７ｂにネジ結合される。これにより、キャップ押さえ７９から下方の弁本体１３までが軸方向において一体的に結合され、上部キャップ６３に支持された状態となる。
【００２３】
符号８１は、角パイプ３に設けた孔を通ってボンネットエルボ７７のカラン取り付け部７７ｃにネジ結合されたブッシングであり、このブッシング８１に図示しない蛇口が取り付けられる。
【００２４】
図１において符号８３は絶縁スリーブであり、この不凍水栓柱が万が一にも凍結してしまった場合に電気解氷を行う際にロッド６１とボンネットエルボ７７との間を絶縁するためのものであるが、これについては特開平１１−６１８９８に開示されているので、詳細な説明は省略する。絶縁スリーブ８３とロッド６１との間、及び絶縁スリーブ８３とエルボ７７との間は液密にシールされている。また、図２における符号８４はスラストワッシャである。
【００２５】
図３において符号８５は、弁本体１３に一体的に形成された水抜き栓であり、図４はその詳細を示すための図３でのＡ−Ａ線による断面図である。図３においてボール２１が、下部スピンドルの軸線まわりに時計方向に９０度回転すると、内部流路２１ａに直角方向に連通している側流路２１ｂが、ボールシート１７の中心孔１７ａに整合する一方、他方のボールシート１９の孔１９ａはボール２１により閉じられる。水抜き栓８５には、ボールシート１７の孔１７ａに連通する縦穴８５ａ、それに連通する横穴８５ｂが形成され、横穴８５ｂの終端は栓８７により塞がれている。符号８９は横穴８５ｂの上方に形成され、横穴８５ｂに通じる弁室であり、この中に逆止ボール９１が収納され、横穴８５ｂから弁室８９への流れは許すが、逆方向の流れは阻止するようになっている。９３ａ、９３ｂは弁室８９に通じた排水孔であり、ここから水は角パイプ３内に排水される。そして、角パイプ３とベース３０との間の隙間（図面には示してないが、ベース３０の外周面に縦方向に延びる溝を複数形成してある。）から、下部キャップ３７と接続管３３との間の隙間３９の間を流れて水栓柱１の外部に排水される。
【００２６】
図１乃至図３は、水栓柱１のカランが取り付けられる側の面を正面として、左側面に平行な中央縦断面での断面図であるが、図５は、その断面から、水栓柱の軸心回りに上から見て時計方向に約４５度回転した面での断面図である。すなわち、角パイプ３の横断面の対角線方向での部分縦断面図であり、水栓柱１の上部のみを示している。
【００２７】
符号９５と９７は、角パイプ３の対向する二箇所の角部の近くで、上下に延びているシャフトであり、それぞれの下端部は、図３に破線で示されるように、ベース３０に螺合して固定されている。そしてシャフト９５、９７は角パイプ３内を上方へ延びて、それぞれの上端部は、図５に示されるように、上部キャップ６３の下面側に形成されたシャフト取り付け孔６３ｃａ、６３ｃｂに収受され、シャフト取り付け孔６３ｃａ、６３ｃｂに対応した位置で上部キャップ６３に形成されたボルト孔６３ｄａ、６３ｄｂから挿入されるボルト９８ａ、９８ｂによって上部キャップ６３に固定されている。一方ベース３０は前述のとおりネジ２９により下側パイプ７に固定されているので、これにより上下のパイプ５、７は互いに固定され、外れることはない。なお、ボルト９８ａ、９８ｂは、ハンドル６５を４５度回転させると露出され、取り付け、取り外しが可能である。
【００２８】
図示の状態は通水状態であり、水は配管から接続管３３、ベース３０の径大部３１ｂ、弁本体下部２５の側孔２７ｂ、内部孔２８、ボール押さえ１５の通路１５ａ、１５ｂ、ボールシート１９の孔１９ａ、ボール２１の内部流路２１ａを通って下部スピンドル５３内へ入り、連通孔５３ａ、５３ｂからスピンドル押さえ５１内へ出て立ち上がり管７５へと流れる。ハンドル６５を用いてボール２１を回転させると、前述のとおり止水、水抜き状態となり、立ち上がり管７５側の水が排水される。
【００２９】
ところで、上記の如く構成されている本発明の不凍水栓柱１においては、ハンドルを４５度回転させて前述のボルト９８ａ、９８ｂを取り外した状態で上側パイプ５を上に持ち上げると、上部キャップ６３に支持された状態で上下のスピンドル６９、５３を含んだ切り換え弁１１や立ち上がり管７５などが一体的に取り外せる。この時、下側パイプ７内では止水弁体４１がスプリング４９の作用で上に移動し、ベース３０の弁座３０ａに着座して、止水する。従って、本発明の不凍水栓柱１においては、水栓柱１を設置した状態のままで、切り換え弁１１を取り出すことができ、そのメンテナンスや交換をおこなうことができる。また、角パイプ３はセパレータ９より若干下の部分までが地上に出ているが、物が当たるなどして上側パイプ５が損傷した場合にも、その交換が簡単に行える。
【００３０】
なお、前述の如くボルト９８ａ、９８ｂを外し、更にブッシング８１を取り外すと、上部キャップ６３を持ち上げることにより、上側パイプはそのままに、切り換え弁１１等内部の機構部分を取り外すことが出来る。なお、以上の説明では逐一説明をしなかったが、不凍水栓柱としての機能上必要な箇所には適宜Ｏリング等シール部材が設けられている。また、切り換え弁や水抜き栓の形式は、上に説明した形式のものに限定されるものではない。
【００３１】
図６は、他の実施の形態で使用する上部キャップ１６３の平面図である。この実施の形態では、上部キャップ１６３はその外形が横断面略正方形であり、４個のボルト孔１６３ｄａ、１６３ｄｂ、１６３ｄｃ、１６３ｄｄが、上部キャップ１６３の中心を通る互いに直交する対角線上で、中心から等しい距離の位置に設けられている。図示しないが、上部キャップ１６３の下面側には、これらボルト孔に対応してシャフト取り付け孔が設けられている。この実施の形態での角パイプ（図示せず）も横断面略正方形であり、同一寸法の二本のシャフトが、角パイプ内に配置、固定されたベース（図示せず）にその下端部においてネジ結合して立設されている。その設置位置は、正方形のベースの一つの対角線上で中心から等しい距離である。すなわち、この二本のシャフトの上端は、上部キャップ１６３の一方の対角線上のボルト孔１６３ｄａと１６３ｄｃとに整合するか、他方の対角線上のボルト孔１６３ｄｂと１６３ｄｄとに整合するようになっている。
【００３２】
従って、この実施の形態の水栓柱においては、一旦この水栓柱を設置した後に上側パイプを上部キャップ及び切り換え弁機構共々下側パイプから取り外し、これを下側パイプに対して時計方向或いは半時計方向に９０度或いは１８０度回転した別の位置に取り付けることが可能である。すなわち、下側パイプの位置はそのままに、上側パイプ即ち蛇口の位置を９０度間隔の４ヵ所の位置の中で任意の位置に設けることが可能となる。この構成は、一旦この水栓柱を設置した後に、その水栓柱の周囲の状況が変化した場合、例えばこの水栓柱の近くに車を駐車するようにした為に、或いは成長した樹木の為に、蛇口の位置がそのままでは不都合となった場合に、使用しやすい位置に蛇口の位置を変更することができ、きわめて好都合である。なお図６において、二点鎖線で示した部材は上部キャップ１６３の上に位置することとなるハンドル１６５である。図示の状態は通水或いは止水の状態から４５度回転させた状態で、この状態においてボルト孔１６３ｄａ、１６３ｄｂ、１６３ｄｃ、１６３ｄｄが露呈され、ボルトの取り付け、取り外しが可能となる。
【００３３】
【発明の効果】
以上詳述したとおり、本発明に係る不凍水栓柱においては、従来の水栓柱では行うことの出来なかった、水栓柱を設置した状態のままでの切り換え弁等内部機構の取り外しを行うことが出来、切り換え弁のメンテナンス或いは交換の作業が格段に短時間で容易に行うことが可能となった。また、地表にでている柱の部分が損傷した場合も、従来は水栓柱全体を掘り起こさなければ交換が行えなかったが、本発明では水栓柱を設置したままでの交換が可能となった。さらに、一旦設置した後に、蛇口の位置を変更することが可能であり、設置後の周囲の状況の変化に対応することが可能である。
【図面の簡単な説明】
【図１】本発明の実施の形態に係る不凍水栓柱の上部の断面図である。
【図２】中間部の断面図である。
【図３】下部の断面図である。
【図４】水抜き栓部分を示す図３のＡ−Ａ線による断面図である。
【図５】角パイプの対角線方向での上部の断面図である。
【図６】他の実施の形態で使用する上部キャップの平面図である。
【符号の説明】
１  不凍水栓柱
３  柱部材（角パイプ）
５  上側パイプ
７  下側パイプ
１１  切り換え弁
１３  弁本体
２１  ボール
２１ａ  内部流路
２３  弁本体上部
２５  弁本体下部
２７  筒部
２７ａ  下端部
２７ｂ  側孔
２８  内部の孔
３０  ベース
３１  貫通孔
３３  接続管
４１  止水弁体
４９  スプリング（付勢手段）
５３  下部スピンドル
６１  ロッド
６３  上部キャップ
６５  ハンドル
６９  上部スピンドル
７５  立ち上がり管
９５、９７  シャフト
９８ａ、９８ｂ  ボルト（締結手段）
【図１】
0004267779.tif 000002
【図２】
0004267779.tif 000003
【図３】
0004267779.tif 000004
【図４】
0004267779.tif 000005
【図５】
0004267779.tif 000006
【図６】
0004267779.tif 000007